(57)【要約】【課題】使用者の体型に合わせ、着用感を良くし、着用後に腹部カバーが移動せず、常に固定された状態を維持できるようにし、各種衣服と一体形成又は衣服に簡単に着脱できるようにした腹部カバーを提供する。【解決手段】人体のお腹部位を覆い使用する腹部カバーにおいて、体型に合うよう両サイドに傾斜部を持つカバー本体と、前記カバー本体の片側又は両側端部に取り付けられ、前記カバー本体を人体に付ける留め紐とを含んでなる。【選択図】図３
2007515569.tif 000002
【特許請求の範囲】
【請求項１】
人体のお腹部位を覆い使用する腹部カバーにおいて、
体型に合うよう両サイドに傾斜部を持つカバー本体と、
前記カバー本体の片側又は両側端部に取り付けられ、前記カバー本体を人体に付ける留め紐とを含んでなることを特徴とする腹部カバー。
【請求項２】
前記カバー本体の上部又は下部は、盛り上がった形状の延長部を更に含むことを特徴とする請求項１記載の腹部カバー。
【請求項３】
前記カバー本体の上部及び下部は、盛り上がった形状の延長部を更に含むことを特徴とする請求項１記載の腹部カバー。
【請求項４】
前記延長部は緩いカーブを成していることを特徴とする請求項２または３記載の腹部カバー。
【請求項５】
前記延長部はハート形で形成されることを特徴とする請求項４記載の腹部カバー。
【請求項６】
前記延長部は角ばった形で形成されることを特徴とする請求項２または３記載の腹部カバー。
【請求項７】
前記延長部は「∨」又は「∧」形で形成されることを特徴とする請求項６記載の腹部カバー。
【請求項８】
前記カバー本体下側の延長部は、人体の股及び陰部をカバー出来るよう下方に延長されたことを特徴とする請求項２または３記載の腹部カバー。
【請求項９】
前記留め紐は１本の紐で形成され、前記カバー本体に一体的に繋いだことを特徴とする請求項１記載の腹部カバー。
【請求項１０】
前記留め紐の端部又は前記カバー本体の端部には、オス・メス一対の着脱可能なベルクロテープ又はスナップボタン、ホックのうちいずれか一つがついたことを特徴とする請求項１または９記載の腹部カバー。
【請求項１１】
前記留め紐の端部又は前記カバー本体の端部には、一組の掛け合わせるボタン及びボタン穴が一つ以上ついたことを特徴とする請求項１または９記載の腹部カバー。
【請求項１２】
前記ボタンはトーグルボタンで成り、前記留め紐の端部又は前記カバー本体の端部にはこのトーグルボタンが掛けられる受け部が具備されたことを特徴とする請求項１１記載の腹部カバー。
【請求項１３】
前記留め紐は、繊維材やゴム材、又は繊維材とゴム材との混合材のうちいずれか一つからなることを特徴とする請求項１記載の腹部カバー。
【請求項１４】
前記留め紐は外皮が布からなり、その内側にはゴムバンドが陥入してなることを特徴とする請求項１または１３記載の腹部カバー。
【請求項１５】
前記留め紐の外皮には弾性力を付与するためヒダ部が付けられたことを特徴とする請求項１４記載の腹部カバー。
【請求項１６】
前記カバー本体の片側又は両側端部には、一組の補助紐が繋がれ、この一組の補助紐が集められて前記留め紐が延長、繋げられたことを特徴とする請求項１記載の腹部カバー。
【請求項１７】
前記補助紐の一端は、前記カバー本体の各角より繋げられ、前記留め紐と繋げられるようにしたことを特徴とする請求項１６記載の腹部カバー。
【請求項１８】
前記カバー本体の周囲面に沿って枠部材が取り付けられたことを特徴とする請求項１記載の腹部カバー。
【請求項１９】
前記カバー本体の内部には保温材が具備されたことを特徴とする請求項１記載の腹部カバー。
【請求項２０】
前記保温材は、綿又は繊維、植物のうちいずれか一つからなることを特徴とする請求項１９記載の腹部カバー。
【請求項２１】
人体のお腹部位を覆い使用する腹部カバーにおいて、
衣服と繋げられる着脱手段が片側に取り付けられたカバー本体と、
前記カバー本体の片側又は両側に取り付けられた留め紐とを含んでなることを特徴とする腹部カバー。
【請求項２２】
前記着脱手段は、オス・メス一対の着脱可能なベルクロテープ又はボタン、スナップボタン、ホックのうちいずれか一つからなることを特徴とする請求項２１記載の腹部カバー。
【請求項２３】
人体のお腹部位を覆い使用する腹部カバーにおいて、
衣服と一体となるように片側が衣服と繋げられたカバー本体と、
前記カバー本体の片側又は両側の端部に付いた留め紐とを含んでなることを特徴とする腹部カバー。
【請求項２４】
前記衣服は、ズボン、スカート、シャツ、寝巻き、パンツ、ブラジャー、チョッキのうちいずれか一つであることを特徴とする請求項２１または２３記載の腹部カバー。
【請求項２５】
前記カバー本体は左右に開閉されるよう中央部が垂直方向に分かれていて、前記カバー本体の中央部には所定のロック手段が形成されたことを特徴とする請求項２３記載の腹部カバー。
【請求項２６】
前記ロック手段は、オス・メス１対の着脱可能なベルクロテープ又はボタン、スナップボタン、ホック、ジッパーのうちいずれか一つからなることを特徴とする請求項２５記載の腹部カバー。
【請求項２７】
前記カバー本体の一面にはポケットが取り付けできることを特徴とする請求項１または２１または２４のいずれかに記載の腹部カバー。
【請求項２８】
前記カバー本体のポケット上部の内側には所定のロック手段が形成されたことを特徴とする請求項２７記載の腹部カバー。
【請求項２９】
前記ロック手段は、オス・メス一対の着脱可能なベルクロテープ又はボタン、スナップボタン、ホック、ジッパーのうちいずれか一つからなることを特徴とする請求項２８記載の腹部カバー。
【発明の詳細な説明】
【技術分野】
【０００１】
本発明は、腹部カバーに係り、更に詳細には、使用者が蒸し暑い夏の時期にお腹部分だけを覆い寝られるようにし、お腹を出して寝ることで生じる寝冷え等を防止し、日中にもお腹を温かく保ち、その他長期間の野外勤務時等にもお腹を保温でき、ボディにフィットするよう構成され、着用感が良く、着用中は固定された状態を維持でき、各種の衣服と一体形成又は、衣服に簡単に着脱できるようにした腹部カバーに関する。
【背景技術】
【０００２】
近年、蒸し暑い夏の時期に夜中でも気温が下がらず一定温度のままである、いわゆる熱帯夜現象が発生する場合が頻繁であり、特に子供や虚弱老人の場合には暑さに負け、睡眠を妨げられるケースが多い。従って、睡眠時に布団を掛けないことは勿論、寝巻きを着ずにお腹を出して寝ることが多くなり、長時間お腹が露出することで寝冷えを引き起こす要因となった。
【０００３】
結局、布団を掛け睡眠をとる場合、暑さにより布団を剥いでしまい、剥いで寝る場合、ランニングシャツを着て寝ても、暑さでそれさえも着ないで寝る傾向があり、お腹を覆う適当な手段を講ずることができなかった。
【０００４】
このような従来の問題点を勘案し、本発明者が開発し、韓国実用新案登録｛登録番号：第２９６８１７号（登録日：２００２年１１月２１日）｝を受けた腹部カバーがあったが、この腹部カバーは図１に示すように、使用者の腹部部位を覆えるようにするカバー本体１０と、このカバー本体１０の両サイド上・下にそれぞれ対の留め紐２０、３０が取り付けられて、前記カバー本体１０面積は使用者の体格に合わせて適切に調整して作る。
【０００５】
そして、前記留め紐２０、３０は、一方の紐２１、３１が反対側の紐２２、３２より相対的に長く作られた構造である。
【０００６】
図２は従来の腹部カバーの使用状態図で、使用者の腹部部分に留め紐２０、３０を結んだ状態を示したものである。前記留め紐２０、３０の長さが違うため、使用者の背部分に紐の結び目が来ず、側面に来るようにしたので、睡眠時に結び目が背に当たる不快感を防止できる。
【０００７】
また、前記留め紐２０、３０は、カバー本体１０周囲の角より一定間隔移動した位置に付けられている。これは着用時、カバー本体１０の浮き立ち現象を防止しようとしたものであるが、実際に着用し睡眠をとる場合、腹部カバー自体が上部に上がっていく現象が生じた。これは、 留め紐２０、３０が所定間隔を置いて作られているため、着用者の腰部分に来ず、睡眠時留め紐２０、３０が部屋の床面に接触することにより睡眠中の寝返りで、結局腹部カバー全体が動いてしまう問題点が発生した。
【０００８】
また、この様な留め紐２０、３０が原因で、むしろその間隔部位で浮き上がり現象が生じ、またカバー本体１０の形態が概ね長方形に作られているため身体の構造に合わず、着用感の低下等の問題点があった。
【０００９】
【特許文献１】韓国実用新案登録第２９６８１７号
【発明の開示】
【発明が解決しようとする課題】
【００１０】
したがって、本発明は、かかる従来の諸般問題を解消するためになされたもので、その目的は、使用者の体型に合わせ、着用感を良くし、着用後に腹部カバーが移動せず、常に固定された状態を維持できるようにし、各種衣服と一体形成又は衣服に簡単に着脱できるようにした腹部カバーを提供することにある。
【課題を解決するための手段】
【００１１】
上記目的を達成するために、本発明の腹部カバーは、人体のお腹部位を覆い使用する腹部カバーにおいて、体型に合うよう両サイドに傾斜部を持つカバー本体と、前記カバー本体の片側又は両側端部に取り付けられ、前記カバー本体を人体に付ける留め紐とを含んでなることを特徴とする。
【００１２】
前記カバー本体の上部及び／又は下部は、カバー本体から盛り上がった形状の延長部を更に含む。
【００１３】
前記延長部は緩いカーブを成す形で形成されても、ハート形、角張った形、「∨」又は「∧」形で形成されても良い。
【００１４】
また、前記カバー本体の下側延長部は、人体の股及び陰部をカバーできるよう下方に延長される。
【００１５】
前記留め紐は１本の紐で形成され、前記カバー本体と一体的に繋がれている。
【００１６】
前記留め紐の端部には、オス・メス１対の着脱可能なベルクロテープ又はスナップボタン、ホック、ボタン及びボタン穴のうちいずれか一つがついている。
【００１７】
前記ボタンはトーグルボタンで成り、前記留め紐又はカバー本体の端部にはこのトーグルボタンが掛けられる受け部が具備される。
【００１８】
前記留め紐は、繊維材やゴム材、又は繊維材とゴム材との混合材のうちいずれか一つからなる。
【００１９】
前記留め紐は外皮が布からなり、その内側にはゴムバンドが陥入している。
【００２０】
前記留め紐の外皮には弾性力を付与するためヒダ部がついている。
【００２１】
また、前記カバー本体の片側又は両側端部には、一対の補助紐が具備され、この一対の補助紐が合わさって前記留め紐と繋がれている。
【００２２】
前記補助紐の一端は、前記カバー本体の各角より繋げられ、前記留め紐と繋がれている。
【００２３】
また、前記カバー本体の周囲に沿って枠部材が具備されている。
【００２４】
前記カバー本体の内部には、綿、繊維、植物のうちいずれか一つからなる保温材が具備される。
【００２５】
上記目的を達成するための本発明の第二の実施形態として、人体のお腹部位を覆い使用する腹部カバーにおいて、衣服と繋げられる着脱手段が片側に取り付けられたカバー本体と、前記カバー本体の両側端部に取り付けられた留め紐とを含んでなることを特徴とする。
【００２６】
前記着脱手段は、オス・メス１対の着脱可能なベルクロテープ又はボタン、スナップボタン、ホックのうちいずれか一つからなる。
【００２７】
上記目的を達成するための本発明の第三の実施形態として、人体のお腹部位を覆い使用する腹部カバーにおいて、衣服と一体になるよう片側が衣服と繋がれたカバー本体と、このカバー本体の片側又は両側端部に取り付けられた留め紐を含めて作られたことを特徴とする。
【００２８】
前記衣服は、ズボン、スカート、シャツ、寝巻き、パンツ、ブラジャー、チョッキのうちいずれか一つである。
【００２９】
そして、前記カバー本体は左右に開閉されるよう中央部が垂直方向に分かれていて、前記カバー本体の中央部には所定のロック手段が形成される。
【００３０】
また、前記カバー本体の一面にはポケットが取り付けでき、前記ポケット上部内側には、所定のロック手段が形成される。
【００３１】
前記カバー本体の中央部に形成されたロック手段及び前記ポケットの上部内側に形成されたロック手段は、オス・メス一対の着脱可能なベルクロテープ又はスナップボタン、ボタン、ジッパーのうちいずれか一つからなる。
【発明の効果】
【００３２】
本発明は、使用者のお腹を覆い保温作用で寝冷え等を起こさないようにし、着用時、カバー本体の片側端部に付けられた留め紐を腰に回し、カバー本体のもう一方で簡単に取り外しでき、便利に着用できるものである。
【００３３】
また、着用中、腹部カバーが移動する現象を防止することができ、また補助紐で腹部カバーのサイドが浮き上がる現象を防ぐことが可能である。
【００３４】
また、着用者の体型に合うよう腹部カバー本体の両サイドに傾斜面を置くので、着用感を更によくする効果があり、各種の衣服と一体で取り付けたり、衣服へ楽に着脱し、便利に着用することができる。
【発明を実施するための最良の形態】
【００３５】
以下、本発明の好適な実施例を添付した例示図面に基いて詳細に説明する。
【００３６】
本発明は、図３に示すように、人体のお腹部位を覆えるよう所定面積を持つカバー本体５０と、このカバー本体５０の片側に具備された人体の腰周りを回りカバー本体５０についている留め紐６０とから構成される。
【００３７】
前記カバー本体５０の両端は中心方向に傾いた傾斜部５１を持ち、この傾斜部５１は本発明の腹部カバーを着用した時、着用者の股間部にぴったりフィットするようにし、着用後の違和感がないようにしたものである。
【００３８】
また、前記カバー本体５０の上部及び／又は下部には盛り上がるように作った延長部５２ａ、５２ｂ、５２ｃ、５２ｄ、５２ｅ、５２f が更に含まれた構造である。前記カバー本体５０の上部に形成された延長部５２ａ、５２ｂ、５２ｃ、５２ｄは着用者の胃部位を覆う役割をもつ。
【００３９】
前記延長部５２ａ、５２ｂ、５２ｃ、５２ｄは、個人の趣向と美観を考慮し、様々な形で制作可能であるが、図３では前記延長部５２ａが緩いカーブを成すものを例示しており、図５では角張った形の延長部５２ｂ、図６ではハート形の延長部５２ｃ、図７では「∨」形の延長部５２ｄをそれぞれ例示している。
【００４０】
この中で図６と図７では前記カバー本体５０の下部延長部５２ｅ、５２f又は上部延長部５２ｃ、５２ｄと対応するようハート形の延長部５２ｅ又は「∧」形の延長部５２fで制作した実施例を図示している。その他には図示されていないが、その他星形や花形、ダイアモンド形等多様な形が制作可能なことは勿論、これにより幼児及び女性達に親近感及び美観を提供し、着用時の拒否感を無くし、プレゼント用としても適している。
【００４１】
一方、前記留め紐６０は図３乃至図７に示すように、カバー本体５０の一側端部に取り付けられ、カバー本体５０の他側端部に着脱可能につなげることもでき、図８に示すように、カバー本体５０の両サイド端部に具備され、片側の留め紐６０の長さを残りの留め紐６０ａより長くし、結び目が腰のサイドに来るようにする。
【００４２】
これをより具体的に説明すると、図３に示すように、前記留め紐６０の端部又はカバー本体５０の端部には、オス・メス１対を成し、互いに掛けられるようボタン６１ａ及びボタン穴６１ｂが１個以上ついている。従って、体型に合わせ適切にボタン穴６１ｂにボタン６１ａを掛けて、人体に固定させることができる。
【００４３】
。
そして、図４に示すように、前記ボタンはトーグルボタン６２ａでできており、対応するカバー本体５０の端部にはトーグルボタン６２ａが掛けられる受け部６２ｂが具備されていることで、ボタンを速やかにはめ外しができ、目の悪いお年寄りやボタン掛けに慣れていないお子さんに適している。
【００４４】
また、本発明の別の実施例として、図５乃至図７に示すように、留め紐６０の端部およびカバー本体５０にはオス・メス１対の着脱可能なベルクロテープ６３又はホック６４ａ、６４ｂ 、スナップボタン６５ａ、６５ｂ等が取り付けられている。
【００４５】
図６に示すように、前記ホック６４ａ、６４ｂ は、留め紐６０の一端に取り付けられた引っ掛け部６４ｂ と、この引っ掛け部６４ｂ が掛けられるカバー本体５０の端部に取り付けられた受け部分６４ａとからなる。
【００４６】
また、図７に示すように、前記スナップボタン６５ａ、６５ｂ は、凹部６５ａと、この凹部６５ａに嵌める凸部分６５ｂとが、それぞれカバー本体５０の一側面より延長して作られた留め紐６０ａと、留め紐６０の端部とに取り付けられている。
【００４７】
この時、前記ホックの引っ掛け部６４ｂ と受け部分６４ａ、スナップボタンの凹部６５ａと凸部分６５ｂ は、留め紐６０、６０ａの端部又はカバー本体５０の片側面に位置制限なく取り付けでき、互いに対応する位置に取り付けるだけでよい。
【００４８】
また、前記留め紐６０は更に別の実施例として、図８及び図１０に示すように、カバー本体５０の両側端部に取り付け可能であり、片側がもう片方より更に長かったり又は同じ長さで作られている。
【００４９】
より具体的に説明すると、図８では互いに長さの違う留め紐６０、６０ａを結んだ状態を図示しているが、同図に示すように留め紐６０、６０ａ結び目が着用者の腰サイドに位置するようにし、睡眠時、使用者の背部に違和感がないようにしたものである。
【００５０】
また、別の着用実施例として図１０に示すように、留め紐６０ｃ、６０ｄを長く延長させ着用者の正面で留め紐６０ｃ、６０ｄが結び合わせるようにした。しかし、本発明はここに限定せず、着用者が便利なように結び目の位置を任意に変更することができる。
【００５１】
また、図８での構造は、補助紐８０の一端がカバー本体５０に固定され、他端は前記留め紐６０、６０ａに固定される構造である。これは、補助紐８０のみがカバー本体５０に繋がれ、この補助紐８０が集め合わさった状態で延長され、留め紐６０、６０ａが形成された構造である。
【００５２】
また、図９に示すように、留め紐６０ｂ自体がカバー本体５０に繋がれ、前記補助紐８０の一端がカバー本体５０に繋がれ、他端は留め紐６０ｂにそれぞれ繋げられた構造でも作られる。
【００５３】
ここで、好ましくは、前記補助紐８０は前記カバー本体５０の両サイド角５３から繋がれ、留め紐６０、６０ａ、６０ｂに繋がれた構造を成すようにし、着用時、前記カバー本体５０が人体より浮き立つ現象を防止することができる。
【００５４】
また、本発明の留め紐６０ｂは図９に示すように、１本の紐のみで形成され、カバー本体５０に繋げられている。この時、前記補助紐８０も留め紐６０ｂ及びカバー本体５０と共に繋ぐことができ、具備しないようにもできる。そして、前記留め紐６０ｂは伸縮性と弾力性があるゴムバンドやポリウレタン材質で作られ、人体に楽に着用できるようにする。
【００５５】
同時に、本発明に係る腹部カバーは、留め紐６０、６０ａ、６０ｂ、６０ｃ、６０ｄが着用者の腰に位置するようになっている。着用者が睡眠時に横になっても人体の構造上、腰の背側は床面より若干浮き、 留め紐６０、６０ａ、６０ｂ、６０ｃ、６０ｄがその浮いた部分に位置されるので、床面との接触面が少なくなく、睡眠中寝返りをうってもカバー自体が移動することを防止できる。
【００５６】
更に、留め紐６０、６０ａ、６０ｂ、６０ｃ、６０ｄの上下に間隔を置き、補助紐８０が具備されているため、 留め紐６０、６０ａ、６０ｂ、６０ｃ、６０ｄをぴんと張ってしっかり結んだり取り外すと、補助紐８０も引っ張られピンと張った状態を維持する。従って、１箇所乃至３箇所で引っ張ることになるので、カバー本体５０の着用中、側面が浮き上がる現象を防ぎ、着用状態を良好に保てる。
【００５７】
そして、本発明の結び留める手段である留め紐６０、６０ａ、６０ｂ、６０ｃ、６０ｄと補助紐８０は、弾性を持つゴムバンドで作られたり、一般繊維材又はこれらの混合材で製造できる。即ち、ゴムバンド自体だけでも作れ、外皮を布にし、その内側にゴムバンドを挿入し製造することもできる。
【００５８】
前記カバー本体５０の材質も伸縮性を持つポリウレタンを使用したり、その他布材質にしても差し支えない。また、各種の機能性繊維、ナチュラル繊維を利用して製造することもできる。
【００５９】
また、カバー本体５０のサイズは、使用者の体格に応じサイズを変えるられるよう作ることができる。即ち、成人用、子供用等で区分し、サイズを決めるのである。特に子供用や女性用の場合にはそれに見合い、全体的に角ばった部分を無くし、角に当たる位置が全て丸型になるよう作ることもできる。
【００６０】
前記カバー本体５０には色々な色と図柄を取り入れることができる。また、成人用及び子供用、女性用及び男性用に応じ特性化及び利用、用途に応じ材質、色及び模様、形を具体化していける。
【００６１】
また、図５に示すように、留め紐６０の外皮には弾性力を付与し、密着感を向上させるため所定のヒダ部７０ａがつけられるが、前記ヒダ部７０ａは留め紐６０全体にかかって付けられたり、一部分だけ付けられたり、図面には図示しなかったが前記助紐８０に付けられてもよい。
【００６２】
また、本発明は図１１に示すように、カバー本体５０の周囲面に沿って繊維材の枠部材５７を縫い付け見栄えを良くしつつ、製品の耐久性をより高める。この枠部材５７には様々な模様の刺繍やプリント、文字等を付けられる。
【００６３】
そして、カバー本体５０の周囲にはみでたミシン線５７ａはステッチを内側に入れることで外部にはみ出ないようすることもできる。
【００６４】
また、本発明は図１２に示すように、カバー本体５０の内部に保温材５４が内蔵された構造である。この保温材５４は、綿又は繊維（機能性繊維を含む）、植物（例えば、木の葉・ハーブ等）のうちいずれか一つを挿入して作られる。この様にすることで、野外の長時間勤務者や又は冬季にお腹を暖めることができる。
【００６５】
図１２は便宜上図１０に示すように、カバー本体５０の周囲に枠部材５７を取り付けた状態での構造を示したものである。しかし、これに限らず前記枠部材５７がない状態でも可能である。
【００６６】
また、本発明の更に別の実施例として、図１３に示すように、カバー本体５０下側の延長部５５は、人体の股及び陰部をカバーできるよう下方に延長して作られた構造である。これにより、夏季等布団を掛けずに寝る場合、お腹のみならず股や陰部も覆われることで、人体の重要部位を保護することができる。
【００６７】
また、この場合カバー本体５０の下側延長部５５の下段にも上述したハート形などの延長部５２ｅが盛り上がってつけられ、カバー本体５０の上段にもこれに対応する延長部５２ｃがつけられる。
【００６８】
また、本発明は、例えば衣服の表に着用し、運転中又は外部の長時間勤労者、警備員、飛行機の乗客、夜勤・外勤をする公人や個人にブランケットの機能を果たす。この場合には、カバー本体５０の大きさを更に大きくし、厚さも更に厚くし保温効果が発揮するようにするものである。
【００６９】
また、本発明は図１４に示すように、人体のお腹部位を覆い使用する腹部カバーにおいて、衣服と繋げられる着脱手段１１０が片側に取り付けられたカバー本体５０ａと、このカバー本体５０ａの片側又は両側端部に取り付けられた留め紐６０を含んだ構造で出来上がっている。
【００７０】
即ち、本発明の腹部カバーは、単独で人体に着用することもでき、その他衣服に繋げて衣服と共に着用したり、又は着脱手段として着用可能なものであるので、図１４に示すように、着脱手段１１０により、カバー本体５０ａを衣服に随時着脱することができる。
【００７１】
このため、カバー本体５０ａが着脱されるズボン１００の上段に１つ以上のボタン１１１ｂが取り付けられ、これに対応するカバー本体５０ａの下段にも一つ以上のボタンの穴１１１ａが取り付けられている。前記ボタン１１１ｂとボタンの穴１１１ａ等の着脱手段１１０はカバー本体５０ａと繋がれた衣服に応じ様々な位置に取り付けられるのは勿論である。
【００７２】
また、前記カバー本体５０ａの一面には色々な物が収納可能なポケット５６を取り付け、夜勤及び外勤時に必要な物を手軽に携帯出来るようにした。
【００７３】
特に、前記ポケット５６には日常生活でよく使用する携帯電話や小銭、鍵など各種所持品などを収納でき、前記ポケット５６の上部内側には所定のロック手段５６ａをつけ、ポケット５６に収納された物が外部に落ちないようにしてあるが、前記ロック手段５６ａはオス・メス一対を成し着脱可能なベルクロテープ又はスナップボタン、ジッパー等でできている。
【００７４】
図１５では本発明の更に別の実施例を図示しているが、パンツ１０２の上側にカバー本体５０ａを繋げた構造である。図面ではパンツ１０２と腹部カバーとの着脱手段１１０として、パンツ１０２の上段とカバー本体５０ａの下段とに一組のスナップボタン１１２ａ、１１２ｂを取り付けた。この時にもカバー本体５０ａの片側又は両側端部に留め紐６０が取り付け可能であり、前記留め紐６０は結び合わせたり、ボタン６１ａ／ボタンの穴６１ｂ等を利用してカバー本体５０ａに着脱できるのは勿論である。
【００７５】
また、女性用下着であるブラジャー１０４にカバー本体５０ａを繋げた実施例を図１６で例示しているが、図面ではブラジャー１０４の下部に取り付けられた延長部１０４ａとカバー本体５０ａの上段とに一対のベルクロテープ１１３を付着した。これにより、カバー本体５０ａが繋がった下着（パンツ、ブラジャー等）を着用しただけでもお腹部位を保護でき、就寝時にも下着と別途に腹部カバーを着用しなければならない手間を省くことができる。
【００７６】
このような衣服と腹部カバーとの着脱手段１１０は上述したスナップボタン、ベルクロテープの他にもホック，トーグルボタン、ジッパー等多様に取り付け可能であり、前記衣服又はズボンやスカート、シャツ、寝巻き、チョッキのみならず各種特殊服、例えば術衣、病衣、作業服、トレッキングウェア、トレーニングウェア、民族衣装、洋服、学生服等、際限なく着用できる。
【００７７】
また、本発明の更に別の実施例として、図１７に示すように、本発明は、衣服と一体になるよう片側が衣服と繋がったカバー本体５０ｂと、このカバー本体５０ｂの片側又は両側端部に付いた留め紐６０とを含んでなる構造を形成することもできる。
【００７８】
即ち、各種衣服にカバー本体５０ｂを着脱できる上述した実施例とは異なり、衣服制作時、本発明の腹部カバーと一体で制作し、衣服を着るだけでもお腹を保護できるようにしている。
【００７９】
前記カバー本体５０ｂは着用者のお腹を覆えば十分なので、衣服の例としてはズボンの前面にだけ付着した構造である。
【００８０】
また、前記カバー本体５０ｂは左右に開閉できるよう中央部が垂直方向に分かれており、カバー本体５０ｂの中央部には所定のロック手段５８が取り付けられた。
【００８１】
前記ロック手段５８は上述した留め紐６０の繋ぐ手段やカバー本体５０ａと衣服の着脱手段１１０、ポケット５６のロック手段５６ａ等と同様に、ボタン、スナップボタン、ホック、ベルクロテープ、ジッパー等際限なく多様に使用できる。従って、衣服と共に腹部カバーを着用している状態で着用者の意図に応じ前記ロック手段５８を自由に着脱することが出来るものである。
【００８２】
また、衣服と一体にした腹部カバー５２ｂの片側にも色々な物が収納可能なポケット５６を取り付けても良い。
【００８３】
図１８は本発明に係るカバー本体５０ｃをパンツ１０２と一体に取り付けたものであり、図１９は本発明に係る腹部カバー本体５０ｄをブラジャー１０４下部の延長部１０４ａに一体として取り付けた構造を示したものである。
【００８４】
図２０は本発明に係るカバー本体５０ａを半ズボン１０６（又はトランクス）の上部に一体として取り付けた構造を示したものである。
【００８５】
本発明は、便宜上図面に基づいて幾つかの実施例を説明したが、これに限らず本発明の技術的思想の範囲内で、様々な変形及び修正が当然可能である。
【図面の簡単な説明】
【００８６】
【図１】従来の腹部カバーを示す斜視図である。
【図２】従来の腹部カバーの使用状態図である。
【図３】本発明に係る腹部カバーの一実施例を示す斜視図である。
【図４】本発明に係る腹部カバーの他の実施例の斜視図である。
【図５】本発明に係る腹部カバーの他の実施例の斜視図である。
【図６】本発明に係る腹部カバーの他の実施例の斜視図である。
【図７】本発明に係る腹部カバーの他の実施例の斜視図である。
【図８】本発明に係る腹部カバーの他の実施例の斜視図である。
【図９】本発明に係る腹部カバーの他の実施例の斜視図である。
【図１０】本発明に係る腹部カバーの他の実施例の斜視図である。
【図１１】本発明に係る腹部カバーのカバー本体の周囲に枠部材が具備された状態を示す図である。
【図１２】本発明に係る腹部カバーのカバー本体の更に他の実施例で、内部の綿や繊維芯が内蔵された状態の断面図である。
【図１３】本発明に係る腹部カバーの使用状態図である。
【図１４】本発明に係る腹部カバーの更に他の実施例を示す正面図である。
【図１５】本発明に係る腹部カバーの更に他の実施例を示す正面図である。
【図１６】本発明に係る腹部カバーの更に他の実施例を示す正面図である。
【図１７】本発明に係る腹部カバーの更に他の実施例を示す正面図である。
【図１８】本発明に係る腹部カバーの更に他の実施例を示す正面図である。
【図１９】本発明に係る腹部カバーの更に他の実施例を示す正面図である。
【図２０】本発明に係る腹部カバーの更に他の実施例を示す正面図である。
【符号の説明】
【００８７】
５０、５０ａ、５０ｂ    カバー本体
５１    傾斜部
５２ａ、５２ｂ、５２ｃ、５２ｄ、５２ｅ、５２f    延長部
５３    角
５４    保温材
５６    ポケット
５７    枠部材
６０、６０ａ、６０ｂ、６０ｃ、６０ｄ    留め紐
７０ａ    ヒダ部
８０    補助紐
１００    ズボン
１０２    パンツ
１０４    ブラジャー
１０６    半ズボン
１１０    着脱手段
【図１】
2007515569.tif 000003
【図２】
2007515569.tif 000004
【図３】
2007515569.tif 000005
【図４】
2007515569.tif 000006
【図５】
2007515569.tif 000007
【図６】
2007515569.tif 000008
【図７】
2007515569.tif 000009
【図８】
2007515569.tif 000010
【図９】
2007515569.tif 000011
【図１０】
2007515569.tif 000012
【図１１】
2007515569.tif 000013
【図１２】
2007515569.tif 000014
【図１３】
2007515569.tif 000015
【図１４】
2007515569.tif 000016
【図１５】
2007515569.tif 000017
【図１６】
2007515569.tif 000018
【図１７】
2007515569.tif 000019
【図１８】
2007515569.tif 000020
【図１９】
2007515569.tif 000021
【図２０】
2007515569.tif 000022
【国際調査報告】
2007515569.tif 000023
2007515569.tif 000024